(57)【特許請求の範囲】
【請求項１】
電子楽器のコントロールパネルを鍵盤ユニットの後部に支持固定するためのパネル取付構造であって、
前記コントロールパネルの前端部においてフックまたはピン部材を設ける一方、腕木の内側面には前記フックまたはピン部材と係合するピン部材またはフックを設けるとともに、前記フックおよびピン部材の間に緩衝材を介在させ、
前記コントロールパネルの前端部を前記フックおよびピン部材を介して前記腕木に掛止し、その後端部をブラケットを介して前記鍵盤ユニットの一部に固定することを特徴とする電子楽器におけるパネル取付構造。
【請求項２】
前記ブラケットは、前記鍵盤ユニットのリブに結合されることを特徴とする請求項１に記載の電子楽器におけるパネル取付構造。
【請求項３】
電子楽器のコントロールパネルを鍵盤ユニットの後部に支持固定するためのパネル取付構造であって、
前記コントロールパネルの前端部においてフックまたはピン部材を設ける一方、腕木の内側面には前記フックまたはピン部材と係合するピン部材またはフックを設けるとともに、前記フックおよびピン部材の間に緩衝材を介在させ、前記コントロールパネルの後端部において左右にブラケットを設け、
前記コントロールパネルの前端部を前記フックおよびピン部材を介して前記腕木に掛止し、その後端部を前記ブラケットを介して前記腕木内側面に固定することを特徴とする電子楽器におけるパネル取付構造。
【発明の詳細な説明】
【０００１】
【発明の属する技術分野】
本発明は、電子ピアノ等の電子楽器において、たとえばコントロールパネルを鍵盤ユニットの後部に支持固定する場合等、この種のパネル材を取り付けるためのパネル取付構造に関する。
【０００２】
【従来の技術】
たとえば電子ピアノ等の電子楽器において、図４および図５の例のように両側の腕木１０１の間に鍵盤ユニット１１０が配置され、この鍵盤ユニット１１０をたとえばスライド式に開閉する鍵盤蓋１０２を備えている。電子ピアノ等にあっては図５に示されるように、各種操作スイッチ類等を有するコントロールパネル１０３が鍵盤ユニット１１０の後部に取り付けられている。
【０００３】
コントロールパネル１０３には、複数のコントロールノブもしくは操作ツマミが配置されている。通常、音源パラメータ等のコントロールノブを含み、演奏中にこれらのコントロールノブを操作して音色等を変化させることができる。
【０００４】
図６は、上述の電子ピアノにおけるコントロールパネル１０３および鍵盤ユニット１１０まわりの構成例を示している。図において鍵盤ユニット１１０の後部にコントロールパネル１０３が配置される。鍵盤ユニット１１０は、白鍵１１１および黒鍵１１２を含み、これらを打鍵することによりハンマー１１３が作動するようになっている。
【０００５】
コントロールパネル１０３は、薄鋼板等を折曲成形してなり、黒鍵１１２の後側に沿って鍵盤ユニット１１０のほぼ全幅に対応配置される。そして、このコントロールパネル１０３を取り付ける場合、コントロールパネル１０３の左右両端に金具１０４をスポット溶接等によって固定しておく。腕木１０１の内側面には金具１０５がいわゆるタッピンネジ１０６等で固定されており、金具１０４と金具１０５とをネジ１０７によって結合することでコントロールパネル１０３を取り付けることができる。
【０００６】
【発明が解決しようとする課題】
しかしながら、かかる従来のコントロールパネル１０３の取付構造では、コントロールパネル１０３の前端部１０３ａ付近は自由端となっており、特別な支持構造を有していない。つまりコントロールパネル１０３を左右両端の金具１０４で支持する構造であるため、金具１０４に大きな剛性強度が必要となる。また、左右両端で支持されるコントロールパネル１０３の中央部付近が撓み易くなり、薄鋼板等の材料を使用する限りコントロールパネル１０３自体ばかりでなく、これを支持する支持構造の剛性確保が容易でなかった。
【０００７】
本発明はかかる実情に鑑み、簡素な構成でコントロールパネルを適正かつ確実に取り付けることができる電子楽器におけるパネル取付構造を提供することを目的とする。
【０００８】
【課題を解決するための手段】
本発明の電子楽器におけるパネル取付構造は、電子楽器のコントロールパネルを鍵盤ユニットの後部に支持固定するためのパネル取付構造であって、前記コントロールパネルの前端部においてフックまたはピン部材を設ける一方、腕木の内側面には前記フックまたはピン部材と係合するピン部材またはフックを設けるとともに、前記フックおよびピン部材の間に緩衝材を介在させ、前記コントロールパネルの前端部を前記フックおよびピン部材を介して前記腕木に掛止し、その後端部をブラケットを介して前記鍵盤ユニットの一部に固定することを特徴とする。
【００１０】
また、本発明の電子楽器におけるパネル取付構造において前記ブラケットは、鍵盤ユニットのリブに結合されることを特徴とする。
【００１１】
また、本発明の電子楽器におけるパネル取付構造は、電子楽器のコントロールパネルを鍵盤ユニットの後部に支持固定するためのパネル取付構造であって、前記コントロールパネルの前端部においてフックまたはピン部材を設ける一方、腕木の内側面には前記フックまたはピン部材と係合するピン部材またはフックを設けるとともに、前記フックおよびピン部材の間に緩衝材を介在させ、前記コントロールパネルの後端部において左右にブラケットを設け、前記コントロールパネルの前端部を前記フックおよびピン部材を介して前記腕木に掛止し、その後端部を前記ブラケットを介して前記腕木内側面に固定することを特徴とする。
【００１３】
本発明によれば、コントロールパネルの前端部を腕木に掛止し、その後端部を鍵盤ユニットの一部にあるいは腕木内側面に固定する。この場合コントロールパネルの前端部はフックを介して、また後端部はブラケットを介してそれぞれ支持され、コントロールパネル自体および結合剛性に優れた支持構造を実現することができる。また特にコントロールパネルの後端部をブラケットを介して鍵盤ユニットのリブに結合することで、コントロールパネル中央部での支持構造を可能にして高い剛性強度を確保することができる。
【００１４】
【発明の実施の形態】
以下、図面に基づき本発明による電子楽器におけるパネル取付構造の好適な実施の形態を説明する。なお、従来例と実質的に同一または対応する部材には同一符号を用いるものとする。
【００１５】
図１は、本発明の第１の実施形態における電子ピアノのコントロールパネル１および鍵盤ユニット１０のまわりの構成例を示している。コントロールパネル１は前述したように、図示されていない複数のコントロールノブもしくは操作ツマミ等を備え、この例では図１に示されるように鍵盤ユニット１０の後部上方に取り付けられる。またコントロールパネル１は、図示のように前下がりに傾斜して配置される構成となっている。
【００１６】
ここでまず、鍵盤ユニット１０は既に図５に示したように両側の腕木１０１の間に配置され、白鍵１１および黒鍵１２を含んでいる。これらの鍵を打鍵することにより鍵後端に付設されたキャプスタンスクリュー１４を介してハンマー１３が作動するようになっている。そして、ハンマー１３の回動動作で鍵盤スイッチ１５をＯＮ／ＯＦＦさせるようになっているが、これらの部材はリブ１６によって支持または固定されている。このリブ１６は、鍵盤ユニット１０の高音領域から低音領域に沿って所定間隔（たとえば１オクターブごと）で複数個配置されている。
【００１７】
コントロールパネル１は薄鋼板等を折曲成形してなり、黒鍵１２の後側に沿って鍵盤ユニット１０のほぼ全幅に対応配置される。この実施形態ではコントロールパネル１の前端部１ａは腕木１０１に掛止され、またその後端部１ｂは鍵盤ユニット１０の一部に固定されるようになっている。
【００１８】
この場合コントロールパネル１の前端部１ａには、薄鋼板等でなるフック２が固着されている。また、腕木１０１の内側面には、フック２と係合するピン部材３が植設されている。コントロールパネル１の前端部１ａは、フック２およびピン部材３を介して腕木１０１の内側面に掛止される。
【００１９】
ここで図２に示すように、ピン部材３としては、腕木１０１の内側面に固定されたビス等によって構成することができる。フック２にはピン部材３と係合するための凹部２ａが形成されている。ピン部材３の周囲には緩衝材４が巻回され、すなわちフック２とピン部材３の間に緩衝材４を介在させる構造になっている。緩衝材４はたとえば、フェルト材等をパイプ状に形成し、これをピン部材３に嵌め込んだものであってよい。
【００２０】
またコントロールパネル１の後端部１ｂは、薄鋼板等を折曲成形してなるブラケット５を介して鍵盤ユニット１０の一部に固定される。この実施形態ではブラケット５は、鍵盤ユニット１０のリブ１６に結合される。図１に示されるようにコントロールパネル１の後端部１ｂはビス６によって、ブラケット５に結合される。ブラケット５はビス７によって、リブ１６に結合される。
【００２１】
ブラケット５はコントロールパネル１の左右両端で少なくとも２つ設けられるが、好ましくは中央部を含む両端間で合計３つ以上の複数のブラケット５を設けるとよい。なお、ブラケット５は、一定の剛性強度を有するものであればプラスチック等の材料で形成することもできる。
【００２２】
上記構成において、コントロールパネル１の前端部１ａを腕木１０１によって掛止し、その後端部１ｂを鍵盤ユニット１０の一部に固定する。このようにコントロールパネル１の特に前部は、フック２をピン部材３にひっかけるだけで腕木１０１に掛止される。しかもコントロールパネル１の前後を支持するようにしたことで、コントロールパネル１に対する結合剛性に優れた支持構造を実現することができる。
【００２３】
この場合従来のように腕木１０１の内側面には特別な取付用の金具等を使用しないで済むため、構造の簡素化を図るとともにコントロールパネル１を容易かつ的確に取り付けることができる。また、コントロールパネル１をその左右両端と中央部にて複数のブラケット５によって支持することにより、コントロールパネル１の高い結合もしくは剛性強度を確保することができる。
【００２４】
つぎに、本発明による電子楽器におけるパネル取付構造の第２の実施形態を説明する。
図３は、本発明の第２の実施形態における電子ピアノのコントロールパネル１および鍵盤ユニット１０のまわりの構成例を示している。この例ではコントロールパネル１の前端部１ａは、第１の実施形態の場合と実質的に同様にフック２およびピン部材３を介して腕木１０１の内側面に掛止される。
【００２５】
特にコントロールパネル１の後端部１ｂは、薄鋼板等を折曲成形してなるブラケット８を介して腕木１０１の内側面に固定される。すなわち、図３に示されるようにコントロールパネル１の後端部１ｂはビス６によって、ブラケット８に結合される。また、ブラケット８はビス７′によって、腕木１０１の内側面に結合される。なお、ブラケット８は、一定の剛性強度を有するものであればプラスチック等の材料で形成することもできる。
【００２６】
第２の実施形態においても特別な取付用の金具等を使用することなく、コントロールパネル１の前端部１ａのフック２をピン部材３にひっかけ、後端部１ｂをブラケット８に固定するだけでコントロールパネル１を簡単かつ的確に取り付けることができる。
【００２７】
以上本発明を好適な実施形態について説明したが、本発明の範囲を逸脱しない範囲で種々変形等が可能である。
たとえば、コントロールパネル１の前端部１ａを固定するためのフック２とピン部材３は上記とは逆の関係で配置構成することができる。すなわち、コントロールパネル１の前端部１ａにピン部材３（もしくはこれと同等なもの）を設けるとともに、腕木１０１の内側面にフック２（もしくはこれと同等なもの）を設けるようにしてもよい。
【００２８】
また、電子ピアノ等のコントロールパネル１を取り付ける場合の例で説明したが、コントロールパネル１に限らずこの種のパネル材に対して本発明を有効に適用可能であり、上記実施形態と同様な作用効果を得ることができる。
【００２９】
【発明の効果】
以上説明したように本発明によれば、この種の電子楽器においてたとえば特にコントロールパネルの前端部を腕木にひっかけ、後端部を鍵盤ユニットの一部にあるいは腕木内側面に結合するだけで簡単かつ確実に取り付けることができる。また、コントロールパネルの剛性強度を有効に向上し得る支持構造を実現することができる等の利点を有している。
【図面の簡単な説明】
【図１】本発明の第１の実施形態における電子ピアノのコントロールパネルおよび鍵盤ユニットのまわりの構成例を示す断面図である。
【図２】本発明に係るコントロールパネル前端部の支持構造を示す斜視図である。
【図３】本発明の第２の実施形態における電子ピアノのコントロールパネルおよび鍵盤ユニットのまわりの構成例を示す断面図である。
【図４】電子ピアノ等の電子楽器の例を示す外観斜視図である。
【図５】鍵盤蓋を開いた状態の電子ピアノの例を示す外観斜視図である。
【図６】従来例に係る電子ピアノのコントロールパネルおよび鍵盤ユニットのまわりの構成例を示す断面図である。
【符号の説明】
１    コントロールパネル
１ａ  前端部
１ｂ  後端部
２    フック
２ａ  凹部
３    ピン部材
４    緩衝材
５    ブラケット
６，７    ビス
８    ブラケット
１０    鍵盤ユニット
１１    白鍵
１２    黒鍵
１３    ハンマー
１４    キャプスタンスクリュー
１５    鍵盤スイッチ
１６    リブ
１０１    腕木
【図１】
0003714807.tif 000002
【図２】
0003714807.tif 000003
【図３】
0003714807.tif 000004
【図４】
0003714807.tif 000005
【図５】
0003714807.tif 000006
【図６】
0003714807.tif 000007